(57)【特許請求の範囲】
【請求項１】
モータからの駆動力を被駆動部に伝達するギヤ列を有する画像形成装置において、支軸の周りに揺動自在な樹脂製の揺動部材と、前記ギヤ列内の１個のギヤであって前記揺動部材に保持されてこの揺動部材の揺動により他のギヤとの噛み合いを断続する位置へ移動自在な断続ギヤと、この断続ギヤの回転中心上に設けられた突起と、前記断続ギヤが他のギヤと噛み合う位置へ前記揺動部材を揺動させたときに前記突起を保持する保持凹部とを有し、前記ギヤ列内のギヤの１つであって前記断続ギヤと一体に回転するとともに前記モータからの駆動力が伝達されるギヤをハスバギヤとし、このハスバギヤと他のギヤとの噛み合いにより発生する推力の分力が前記突起を前記保持凹部に押し付ける向きに作用するようにしたことを特徴とする駆動装置。
【発明の詳細な説明】
【０００１】
【発明の属する技術分野】
本発明は、画像形成装置におけるモータからの駆動力により被駆動部を駆動させる駆動装置に関する。
【０００２】
【従来の技術】
レーザプリンタ等の電子写真記録方式を採用した画像形成装置では、モータからの駆動力を被駆動部へ伝達するためのギヤ列が設けられている。これらのギヤ列内の一部のギヤは、揺動自在な揺動部材に保持され、被駆動部の交換時やメンテナンス時には他のギヤとの噛み合いを解除する位置へ移動できるようになっている。
【０００３】
近年、このような画像形成装置では小型化と低コスト化とがすすみ、樹脂製の揺動部材が用いられるようになっている。
【０００４】
【発明が解決しようとする課題】
ギヤ列内のギヤには、給紙部や定着部等において１ｋｇ・ｃｍ〜７ｋｇ・ｃｍの大きな負荷トルクが作用するため、ギヤを保持している樹脂製の揺動部材が破損する場合がある。
【０００５】
また、破損に至らないまでも、樹脂製の揺動部材に保持されたギヤが振動やねじれを発生し、画像ジターが生じて画像品質が低下する場合がある。
【０００６】
そこで本発明は、樹脂製の揺動部材によるギヤの保持を確実に行い、ギヤが振動やねじれを発生することを防止して画像品質を向上させることができる駆動装置を提供することを目的とする。
【０００７】
【課題を解決するための手段】
請求項１記載の発明の駆動装置は、モータからの駆動力を被駆動部に伝達するギヤ列を有する画像形成装置において、支軸の周りに揺動自在な樹脂製の揺動部材と、前記ギヤ列内の１個のギヤであって前記揺動部材に保持されてこの揺動部材の揺動により他のギヤとの噛み合いを断続する位置へ移動自在な断続ギヤと、この断続ギヤの回転中心上に設けられた突起と、前記断続ギヤが他のギヤと噛み合う位置へ前記揺動部材を揺動させたときに前記突起を保持する保持凹部とを有し、前記ギヤ列内のギヤの１つであって前記断続ギヤと一体に回転するとともに前記モータからの駆動力が伝達されるギヤをハスバギヤとし、このハスバギヤと他のギヤとの噛み合いにより発生する推力の分力が前記突起を前記保持凹部に押し付ける向きに作用するようにした。従って、揺動部材を揺動させて断続ギヤを他のギヤと噛み合わせたとき、断続ギヤの突起が保持凹部で保持される。このため、断続ギヤを他のギヤに噛み合わせて駆動力を伝達するときには、断続ギヤは揺動部材と保持凹部とにより両端保持され、断続ギヤの保持強度がアップし、断続ギヤの回転駆動時にはこの断続ギヤには振動やねじれが発生しない。また、ハスバギヤとギヤとの噛み合いにより発生する推力の分力により突起が保持凹部に押し付けられて保持凹部による突起の保持状態が安定し、断続ギヤの回転駆動時において断続ギヤには振動やねじれがより一層発生しなくなる。
【００１０】
【発明の実施の形態】
本発明の参考例を図１ないし図４に基づいて説明する。図３及び図４は、画像形成装置における駆動力を伝達するギヤの配列構造を示したもので、画像形成装置の本体ケース１内にはモータ２と被駆動部である給紙ローラ３とが配置されている。前記給紙ローラ３は前記モータ２からの駆動力により回転駆動されるもので、モータ２からの駆動力を給紙ローラ３に伝達するための複数のギヤ４〜１１からなるギヤ列１２が前記本体ケース１の側面部に設けられている。なお、前記ギヤ４は前記モータ２のモータ軸２ａに連結され、前記ギヤ１１は前記給紙ローラ３の一端に連結されている。また、ギヤ５とギヤ６、ギヤ７とギヤ８、ギヤ９とギヤ１０とは一体に形成されており、同一回転中心をもって一体に回転する。
【００１１】
つぎに、前記本体ケース１には、樹脂製の揺動部材１３が支軸１４を支点として揺動自在に取り付けられている。この揺動部材１３には、前記ギヤ９，１０が回転自在に保持されている。前記ギヤ１０は、前記揺動部材１３の揺動により前記ギヤ１１との噛み合いを断続する位置へ移動自在な断続ギヤ１０とされている。
【００１２】
図２は、一体に形成された前記ギヤ９と前記断続ギヤ１０との構造を示すもので、ギヤ９と断続ギヤ１０との間にはこれらのギヤ９，１０と同一中心を有して外周面形状が円形をなす嵌合部１５が形成されている。前記揺動部材１３には図１に示すように、この嵌合部１５が回転自在に嵌合される保持穴１６が形成されている。さらに、前記ギヤ９，１０の回転中心上には外周面が円形をなす突起１７が形成されている。
【００１３】
図１は、前記揺動部材１３への前記ギヤ９，１０の取り付け構造、及び、揺動部材１３の前記本体ケース１への取り付け構造を示す分解斜視図である。前記本体ケース１には内方へ突出した前記支軸１４が固定されており、この支軸１４が前記揺動部材１３の支持穴１８に嵌合されている。そして、この支軸１４が前記ギヤ７，８の中心部に貫通され、ギヤ７，８はこの支軸１４の周りに回転自在に支持されている。前記ギヤ９，１０は、嵌合部１５を前記保持穴１６に嵌合させることにより回転自在に前記揺動部材１３に保持されている。そして、前記断続ギヤ１０が前記ギヤ１１と噛み合う位置へ前記揺動部材１３を揺動させたとき、前記突起１７を保持する略Ｕ字形状の保持凹部１９が前記本体ケース１内に設けられている。
【００１４】
前記揺動部材１３には、前記断続ギヤ１０が前記ギヤ１１との噛み合いを断続する位置へ揺動部材１３を揺動操作する操作レバー２０が一体に形成されている。また、前記揺動部材１３には付勢部材であるスプリング２１の一端が係止され、このスプリング２１の他端は前記本体ケース１に形成した係止突起２２に係止されている。このスプリング２１は、前記突起１７を前記保持凹部１９に押し付ける向きに前記揺動部材１３を付勢する。
【００１５】
このような構成において、図３は、全てのギヤ４〜１１が噛み合った状態であり、モータ２を駆動させることにより給紙ローラ３が回転駆動される。
【００１６】
図４は、給紙ローラ３の個所で発生したジャムを解除するため、操作レバー２０を操作して揺動部材１３を支軸１４の周りに矢印Ａ方向へ揺動させた状態である。この揺動操作により、断続ギヤ１０が移動してギヤ１１との噛み合い状態が解除され、ギヤ１１に作用する負荷が小さくなる。このため、給紙ローラ３を自由に回転させることができるようになり、給紙ローラ３の個所で発生したジャムの解除を容易に行うことができる。
【００１７】
つぎに、断続ギヤ１０がギヤ１１と噛み合う位置へ揺動部材１３を揺動させているとき、断続ギヤ１０に一体形成された突起１７が保持凹部１９で保持されている。しかも、揺動部材１３は、スプリング２１により突起１７を保持凹部１９に押し付ける向きに付勢されている。このため、断続ギヤ１０は保持凹部１９と揺動部材１３の保持穴１６とにより両端保持されるため、断続ギヤ１０の保持強度がアップし、断続ギヤ１０の回転駆動時にはこの断続ギヤ１０には振動やねじれが発生しない。従って、樹脂製の揺動部材１３で断続ギヤ１０を保持しても、断続ギヤ１０が振動やねじれを発生することがなく、画像ジターが生ずることを防止して画像品質を向上させることができる。特に、スプリング２１を用いて突起１７を保持凹部１９に押し付けることにより、保持凹部１９での突起１７の保持状態が安定し、画像品質がより一層高くなる。
【００１８】
つぎに、本発明の実施例（実施の形態）を図５に基づいて説明する。なお、図１ないし図４において説明した部分と同じ部分は同じ符号で示し、説明も省略する。本実施の形態は、断続ギヤ１０と一体に形成されたギヤ９ａとこのギヤ９ａと噛み合うギヤ８とをハスバギヤとし、これらのハスバギヤ８，９ａの噛み合いにより発生する推力が突起１７を保持凹部１９に押し付ける向きに作用するようにしたものである。他の部分の構造については、実施の第一の形態と同じである。
【００１９】
従って、ハスバギヤ８，９ａの噛み合いにより発生する推力により突起１７が保持凹部１９に押し付けられて、保持凹部１９による突起１７の保持状態が安定する。このため、断続ギヤ１０の回転駆動時において断続ギヤ１０には振動やねじれがより一層発生しなくなり、画像品質がより一層高くなる。
【００２０】
【発明の効果】
請求項１記載の発明の駆動装置によれば、モータからの駆動力を被駆動部に伝達するギヤ列を有する画像形成装置において、支軸の周りに揺動自在な樹脂製の揺動部材と、ギヤ列内の１個のギヤであって揺動部材に保持されてこの揺動部材の揺動により他のギヤとの噛み合いを断続する位置へ移動自在な断続ギヤと、この断続ギヤの回転中心上に設けられた突起と、断続ギヤが他のギヤと噛み合う位置へ揺動部材を揺動させたときに突起を保持する保持凹部とを有し、前記ギヤ列内のギヤの１つであって前記断続ギヤと一体に回転するとともに前記モータからの駆動力が伝達されるギヤをハスバギヤとし、このハスバギヤと他のギヤとの噛み合いにより発生する推力の分力が前記突起を前記保持凹部に押し付ける向きに作用するようにしたので、揺動部材を揺動させて断続ギヤを他のギヤと噛み合わせたとき、断続ギヤの突起が保持凹部で保持されるため、断続ギヤは揺動部材と保持凹部とにより両端を保持された状態となってその保持強度がアップし、断続ギヤの回転駆動時における断続ギヤの振動やねじれの発生を防止できるとともに画像品質を向上させることができる。また、ギヤ列内のギヤの１つであって断続ギヤと一体に回転するとともにモータからの駆動力が伝達されるギヤをハスバギヤとし、このハスバギヤとギヤとの噛み合いにより発生する推力が突起を保持凹部に押し付ける向きに作用するようにしたので、保持凹部による突起の保持状態を安定させることができ、断続ギヤの回転駆動時における断続ギヤには振動やねじれがより一層発生しなくなり、画像品質をより一層高くすることができる。
【図面の簡単な説明】
【図１】本発明の実施の第一の形態における揺動部材へのギヤの取り付け構造と揺動部材の本体ケースへの取り付け構造とを示す分解斜視図である。
【図２】一体に形成された断続ギヤとギヤとの構造を示す正面図である。
【図３】モータから給紙ローラへの動力伝達のギヤ列を示す側面図である。
【図４】断続ギヤを噛み合い解除位置へ移動させた状態のギヤ列を示す側面図である。
【図５】本発明の実施の第二の形態における一体に形成された断続ギヤとギヤとの構造を示す正面図である。
【符号の説明】
２        モータ
３        被駆動部
９ａ      ハスバギヤ
１０        断続ギヤ
１２        ギヤ列
１３        揺動部材
１４        支軸
１７        突起
１９        保持凹部
２１        付勢部材
【図１】
0003725286.tif 000002
【図２】
0003725286.tif 000003
【図３】
0003725286.tif 000004
【図４】
0003725286.tif 000005
【図５】
0003725286.tif 000006